(57)【要約】【課題】  磁性体とＲＦＩＤタグの両方を検知するゲートの１つのアンテナから一定時間毎に交互に磁性体を検知するための交番磁界とＲＦＩＤタグの情報を検知するための起動信号を発信し、ゲートを通過する人が携帯するＲＦＩＤタグの情報と、物体に付与された磁性体の各検知結果に基づきゲート通過の可否を制御するゲート装置を提供する。【解決手段】  交番磁界の印加による磁性体の磁化反転により該磁性体から発生された信号を受信して該磁性体を検知する磁性体検知手段と、磁界の印加により無線識別子から発信される識別情報を検知する識別情報検知手段と、交番磁界および磁界を磁性体および無線識別子に交互に与える励磁巻線と、識別情報を記憶する記憶手段とを具備する。【選択図】  図１
2008097340.tif 000002
【特許請求の範囲】
【請求項１】
交番磁界の印加による磁性体の磁化反転により該磁性体から発生された信号を受信して該磁性体を検知する磁性体検知手段と、
磁界の印加により無線識別子から発信される識別情報を検知する識別情報検知手段と、  前記交番磁界および前記磁界を前記磁性体および前記無線識別子に交互に与える励磁巻線と、
前記識別情報を記憶する記憶手段と
を具備するゲート装置。
【請求項２】
磁性体に磁化反転を起こさせて該磁性体から磁化反転信号を発生させる第１の周波数の信号を発振する第１の発振器と、
無線識別子が受信可能な第２の周波数の信号を発信する第２の発振器と、
前記第１の発振器の出力および前記第２の発振器の出力が前記無線識別子を起動する所定の情報に対応して切り替えられて加えられ、磁性体に磁化反転を起こさせるとともに、前記無線識別子を起動する情報を含む磁界を発生する励磁巻線と、
前記励磁巻線から発生される磁界により磁化反転した該磁性体から発生された磁化反転信号を受信して該磁性体を検知する磁性体検知手段と、
前記励磁巻線から発生される磁界により起動された無線識別子から発信される識別情報を検知する識別情報検知手段と、  
前記識別情報を記憶する記憶手段と
を具備するゲート装置。
【請求項３】
磁性体に磁化反転を起こさせて該磁性体から磁化反転信号を発生させる周波数の第１の位相の信号を発振する第１の発振器と、
前記第１の発振器から発振される信号と位相が異なる第２の位相の信号を発振する第２の発振器と、
前記第１の発振器の出力および前記第２の発振器の出力が無線識別子を起動する所定の情報に対応して切り替えられて加えられ、磁性体に磁化反転を起こさせるとともに、前記無線識別子を起動する情報を含む磁界を発生する励磁巻線と、
前記励磁巻線から発生される磁界により磁化反転した該磁性体から発生された磁化反転信号を受信して該磁性体を検知する磁性体検知手段と、
前記励磁巻線から発生される磁界により起動された無線識別子から発信される識別情報を検知する識別情報検知手段と、  
前記識別情報を記憶する記憶手段と
を具備するゲート装置。
【請求項４】
磁性体に磁化反転を起こさせて該磁性体から磁化反転信号を発生させかつ無線識別子が受信可能な第１の周波数の信号を発振する第１の発振器と、
前記第１の発振器の出力が前記無線識別子を起動する所定の情報に対応して切り替えられて加えられ、磁性体に磁化反転を起こさせるとともに、前記無線識別子を起動する情報を含む磁界を発生する励磁巻線と、
前記励磁巻線から発生される磁界により磁化反転した該磁性体から発生された磁化反転信号を受信して該磁性体を検知する磁性体検知手段と、
前記励磁巻線から発生される磁界により起動された無線識別子から発信される識別情報を検知する識別情報検知手段と、  
前記識別情報を記憶する記憶手段と
を具備するゲート装置。
【請求項５】
前記識別情報に対応して前記磁性体を付与した物体を携帯するユーザの通過を規制する規制情報を記憶する記憶手段を更に具備し、
前記識別情報検知手段で検知した前記識別情報に対応して、前記磁性体が付与された物体を携帯したユーザの通過を禁止する請求項１乃至４記載のゲート装置。
【請求項６】
前記識別情報に対応して前記磁性体を付与した物体を携帯するユーザの通過を規制する規制情報を記憶する記憶手段を更に具備し、
前記識別情報検知手段で検知した前記識別情報に対応して、前記磁性体が付与された物体を携帯しないユーザの通過を禁止する請求項１乃至４記載のゲート装置。
【発明の詳細な説明】
【技術分野】
【０００１】
本発明は、磁性体とＲＦＩＤタグの両方を検知するゲート装置に関し、特に、１つのアンテナから一定時間毎に交互に磁性体を検知するための交番磁界とＲＦＩＤタグの情報を検知するための起動信号を発信し、ゲートを通過する人が携帯するＲＦＩＤタグの情報と、物体に付与された磁性体の各検知結果に基づきゲート通過の可否を制御するゲート装置に関する。  
【背景技術】
【０００２】
近年、非接触で検知する検知素子と、その検知装置の技術としてＩＣチップを備えたＩＣカードと、そのリーダ／ライタが普及しており、特にＲＦＩＤ（＝Ｒａｄｉｏ  Ｆｒｅｑｕｅｎｃｙ  ＩＤｅｎｔｉｆｉｃａｔｉｏｎ）の非接触型ＩＣカードが広く利用されている。
【０００３】
非接触型ＩＣカードに記憶された情報は、非接触型ＩＣカードとリーダ／ライタとがそれぞれ備えるループアンテナを介して情報の信号を送受信し、リーダ／ライタにより非接触型ＩＣカードの情報が読み取られる。
【０００４】
リーダ／ライタは、非接触型ＩＣカードがリーダ／ライタから数ｃｍないし数十ｃｍ離れた位置にあっても非接触型ＩＣカードの情報を読み取ることができ、また、非接触型ＩＣカードが汚れや静電気等に強いことから入退室管理、工場の生産管理、物流の管理等の様々な分野で広く利用されている。
【０００５】
例えば特許文献１には、製品番号等の識別情報を記憶したＲＦＩＤの非接触型ＩＣタグと、非接触型ＩＣカードから印刷データを読み取るリーダ／ライタとをそれぞれ印刷装置に設け、印刷装置の製造時または出荷時に印刷装置が備える非接触型ＩＣタグから印刷装置の識別情報を読み取って印刷装置を管理し、印刷装置の使用時には他の非接触型ＩＣカードに記録された印刷データを印刷装置が備えるリーダ／ライタで読み取って印刷を行うように構成された印刷装置の小型化とコスト削減及び誤作動防止を実現するためのＲＦＩＤ装置が提案されている。
【０００６】
上記特許文献１の提案は、ＲＦＩＤの非接触型ＩＣタグのアンテナおよびリーダ／ライタのアンテナとを１つのアンテナで共用し、共用アンテナを電源供給の有無に応じてＲＦＩＤの非接触型ＩＣタグまたはリーダ／ライタに切替え接続するように構成したものである。
【０００７】
このように構成することでアンテナがＲＦＩＤの非接触型ＩＣタグとリーダ／ライタとにそれぞれ独立に設けられている場合と比べて装置の大型化とコスト上昇が抑えられ、自装置のリーダ／ライタで自装置が備える非接触型ＩＣタグから識別情報を印刷データとして読み取る誤作動の原因となることを防止することができる。
【０００８】
また、ＲＦＩＤを用いたタグとして例えば特許文献２には、タグ状態情報を磁気的に格納するように構成されたＲＦＩＤタグが提案されている。
【０００９】
上記特許文献２に提案されるＲＦＩＤタグは、近接位置にある静電励磁機から励磁信号を静電気的に受信して格納タグ情報に基づく読取信号を生成し、近接位置にある読取機に静電気的に送信するアンテナ素子と、近接位置にある磁気読取機によって読み取られるタグ状態情報を磁気的に格納する共通電極を備える構成とし、ＲＦＩＤタグの情報を静電気的にのみ読み取る装置と、タグ状態情報を磁気的にのみ読み取る装置との両方の利点を活用するように構成されたものである。
【特許文献１】特開２００５−１４８８２０号公報
【特許文献２】特開２００１−５２５９７０号公報
【発明の開示】
【発明が解決しようとする課題】
【００１０】
しかしながら、上記特許文献１及び特許文献２には、磁性体を励磁して磁化反転させる交番磁界を発生するアンテナと、ＲＦＩＤタグを起動する起動信号を発信するアンテナとを１つのアンテナで共用し、当該アンテナから一定時間毎に交互に交番磁界と起動信号を発信して磁性体とＲＦＩＤタグの情報を検知する構成は提案されていない。
【００１１】
そこで、本発明は、磁性体とＲＦＩＤタグの両方を検知するゲートの１つのアンテナから一定時間毎に交互に磁性体を検知するための交番磁界とＲＦＩＤタグの情報を検知するための起動信号を発信し、ゲートを通過する人が携帯するＲＦＩＤタグの情報と、物体に付与された磁性体の各検知結果に基づきゲート通過の可否を制御するゲート装置を提供することを目的とする。  
【課題を解決するための手段】
【００１２】
上記目的を達成するため、請求項１の発明は、交番磁界の印加による磁性体の磁化反転により該磁性体から発生された信号を受信して該磁性体を検知する磁性体検知手段と、磁界の印加により無線識別子から発信される識別情報を検知する識別情報検知手段と、前記交番磁界および前記磁界を前記磁性体および前記無線識別子に交互に与える励磁巻線と、前記識別情報を記憶する記憶手段とを具備するゲート装置。
【００１３】
また、請求項２の発明は、磁性体に磁化反転を起こさせて該磁性体から磁化反転信号を発生させる第１の周波数の信号を発振する第１の発振器と、無線識別子が受信可能な第２の周波数の信号を発信する第２の発振器と、前記第１の発振器の出力および前記第２の発振器の出力が前記無線識別子を起動する所定の情報に対応して切り替えられて加えられ、磁性体に磁化反転を起こさせるとともに、前記無線識別子を起動する情報を含む磁界を発生する励磁巻線と、前記励磁巻線から発生される磁界により磁化反転した該磁性体から発生された磁化反転信号を受信して該磁性体を検知する磁性体検知手段と、前記励磁巻線から発生される磁界により起動された無線識別子から発信される識別情報を検知する識別情報検知手段と、前記識別情報を記憶する記憶手段とを具備するゲート装置。
【００１４】
また、請求項３の発明は、磁性体に磁化反転を起こさせて該磁性体から磁化反転信号を発生させる周波数の第１の位相の信号を発振する第１の発振器と、前記第１の発振器から発振される信号と位相が異なる第２の位相の信号を発振する第２の発振器と、前記第１の発振器の出力および前記第２の発振器の出力が無線識別子を起動する所定の情報に対応して切り替えられて加えられ、磁性体に磁化反転を起こさせるとともに、前記無線識別子を起動する情報を含む磁界を発生する励磁巻線と、前記励磁巻線から発生される磁界により磁化反転した該磁性体から発生された磁化反転信号を受信して該磁性体を検知する磁性体検知手段と、前記励磁巻線から発生される磁界により起動された無線識別子から発信される識別情報を検知する識別情報検知手段と、前記識別情報を記憶する記憶手段とを具備するゲート装置。
【００１５】
また、請求項４の発明は、磁性体に磁化反転を起こさせて該磁性体から磁化反転信号を発生させかつ無線識別子が受信可能な第１の周波数の信号を発振する第１の発振器と、前記第１の発振器の出力が前記無線識別子を起動する所定の情報に対応して切り替えられて加えられ、磁性体に磁化反転を起こさせるとともに、前記無線識別子を起動する情報を含む磁界を発生する励磁巻線と、前記励磁巻線から発生される磁界により磁化反転した該磁性体から発生された磁化反転信号を受信して該磁性体を検知する磁性体検知手段と、前記励磁巻線から発生される磁界により起動された無線識別子から発信される識別情報を検知する識別情報検知手段と、前記識別情報を記憶する記憶手段とを具備するゲート装置。
【００１６】
また、請求項５の発明は、請求項１乃至４の発明において、前記識別情報に対応して前記磁性体を付与した物体を携帯するユーザの通過を規制する規制情報を記憶する記憶手段を更に具備し、前記識別情報検知手段で検知した前記識別情報に対応して、前記磁性体が付与された物体を携帯したユーザの通過を禁止するゲート装置。
【００１７】
また、請求項６の発明は、請求項１乃至４の発明において、前記識別情報に対応して前記磁性体を付与した物体を携帯するユーザの通過を規制する規制情報を記憶する記憶手段を更に具備し、前記識別情報検知手段で検知した前記識別情報に対応して、前記磁性体が付与された物体を携帯しないユーザの通過を禁止するゲート装置。
【発明の効果】
【００１８】
本発明のゲート装置によれば、磁性体を励磁するコイルアンテナと、ＲＦＩＤタグに励磁信号を送信するコイルアンテナとを共用し、ＲＦＩＤタグに記録された情報と磁性体の有無の情報とを１つの装置で検知できるので各検知装置を個別に製作する場合のコストと比べて低コスト化が図れる。
【００１９】
また、１つのゲートでＲＦＩＤタグに記録された情報と磁性体の有無の情報とが検知できるので各検知装置を個別に備えるゲートを設置する場合と比べてゲートの設置面積を小さくすることができる。
【００２０】
また、ユーザが携帯するＲＦＩＤタグの識別情報と媒体に付与された磁性体の有無の情報とをそれぞれ切替え検知し、それぞれの検知結果に基づきユーザの入退出または媒体の持ち出し可否の制御が行われるのでユーザの入退出管理、媒体管理のセキュリティーがより向上するという効果を奏する。
【発明を実施するための最良の形態】
【００２１】
以下、本発明に係わるゲート装置の一実施例について添付図面を参照して詳細に説明する。
【００２２】
図１は、本発明に係わるゲート装置１の構成の一例を示すブロック図である。
【００２３】
図１に示すように、ゲート装置１は、ある企業の文書管理室９（図２参照）の各出入口に設置された検知ゲート１０（破線で囲まれた部分）と、検知ゲート１０を制御するゲートコントローラ３２とで構成されている。
【００２４】
検知ゲート１０は、社員６が携帯するＲＦＩＤタグ７の識別情報と、当該社員６が文書管理室９から持出そうとしているまたは文書管理室９へ持ち込もうとしている文書５０に付与された磁性ワイヤー８を非接触で検知するためのコイルアンテナである励磁コイル１５及び検知コイル１６が埋め込まれたアンテナ支持体１１ａと、アンテナ支持体１１ａと同様に構成され、アンテナ支持体１１ａと対向して配置されたアンテナ支持体１１ｂ（図２参照）とがアンテナ支持体１１ａとアンテナ支持体１１ｂとの間を社員６が通過できるように離間されて配置されている。
【００２５】
また、検知ゲート１０の出入口の両側には、扉開閉装置１２ａ、１２ｂが配置されており、ゲートコントローラ３２の指令信号に基づき扉開閉装置１２ａ、１２ｂが検知ゲート１０の出入口側に配置された扉１３（図２参照）の開閉制御を行うように構成されている。
【００２６】
励磁コイル１５は、ゲートコントローラ３２が備える後述する検知部３０のＲＦＩＤリーダ／ライタ３０１や磁性体検知装置３０２と一定時間毎に交互に切替え接続され、検知コイル１６は、励磁コイル１５が磁性体検知装置３０２と接続されるタイミングと同期して一定時間毎に磁性体検知装置３０２と接続される。
【００２７】
励磁コイル１５がＲＦＩＤリーダ／ライタ３０１と接続された場合は、ＲＦＩＤリーダ／ライタ３０１の制御により所定周波数（例えば１３．５Ｍｈｚ）の交番磁界が励磁コイル１５から発信され、検知ゲート１０内に社員６が進入している場合は、社員６が携帯するＲＦＩＤタグ７が励磁コイル１５から発信された交番磁界により誘導起電力を得て起動し、ＲＦＩＤタグ７に予め記録された識別情報の信号がＲＦＩＤタグ７から発信されるので、その信号をＲＦＩＤリーダ／ライタ３０１が励磁コイル１５を介して受信し、信号処理してＲＦＩＤタグ７の識別情報を検知する。
【００２８】
また、励磁コイル１５及び検知コイル１６が磁性体検知装置３０２と接続された場合は、磁性体検知装置３０２の制御により所定周波数（例えば８００ｈｚ）の交番磁界が励磁コイル１５から発信され、検知ゲート１０内に文書５０を持った社員６が進入している場合は、文書５０に付与された磁性ワイヤー８が励磁コイル１５から発信された交番磁界を受けて磁化反転し、その際に急峻な磁気パルスを発するので、その信号を磁性体検知装置３０２が検知コイル１６を介して受信し、信号処理して磁性ワイヤー８の有無を検知する。
【００２９】
検知コイル１６は、文書５０に付与された磁性ワイヤー８が磁化反転時に発する磁気パルスを受信するためのコイルアンテナであり、励磁コイル１５から発信される交番磁界の電磁誘導により検知コイル１６内を流れる誘導電流の影響を抑えるために８の字型の形状に形成されている。
【００３０】
また、アンテナ支持体１１ａとアンテナ支持体１１ｂには、図示せぬ赤外線センサーの送受信装置が設置されており、検知ゲート１０内を人が進入すると、赤外線センサーが人を検知し、ゲートコントローラ３２に通知するように構成されている。
【００３１】
ゲートコントローラ３２は、検知部３０と判断制御部３１とで構成されており、検知部３０は、低周波スイッチ３００と、ＲＦＩＤリーダ／ライタ３０１と、磁性体検知装置３０２を備えている。
【００３２】
低周波スイッチ３００は、励磁コイル１５とＲＦＩＤリーダ／ライタ３０１との接続または励磁コイル１５及び検知コイル１６と磁性体検知装置３０２との接続を時分割（例えば０．１ｈｚ間隔）で交互に切替え接続する。
【００３３】
具体的には、低周波スイッチ３００は、ベースバンド信号の値によって変化するスイッチであり、ベースバンド信号の値により励磁コイル１５をＲＦＩＤリーダ／ライタ３０１の後述するインピーダンス整合部３０１０を介して送受信部（ＲＦＩＤ用）３０１１に接続するまたは励磁コイル１５及び検知コイル１６を磁性体検知装置３０２の送受信部（磁性体用）３０２１に接続するように切替えて接続する。
【００３４】
なお、本実施例では、励磁コイル１５をＲＦＩＤリーダ／ライタ３０１と磁性体検知装置３０２とに切替え接続するまたは検知コイル１６を磁性体検知装置３０２に切替え接続するスイッチとして低周波スイッチ３００を用いた例を示してあるが、低周波スイッチ３００に限定されるものではなく、サイリスター等を用いてもよく、励磁コイル１５とＲＦＩＤリーダ／ライタ３０１との接続または励磁コイル１５及び検知コイル１６と磁性体検知装置３０２との接続が時分割で交互に切替え接続できるように構成されていれば何れのスイッチでもよい。
【００３５】
ＲＦＩＤリーダ／ライタ３０１は、インピーダンス整合部３０１０と、送受信部（ＲＦＩＤ用）３０１１と、制御部（ＲＦＩＤ用）３０１２とを備えている。
【００３６】
インピーダンス整合部３０１０は、磁性体検知装置３０２のコイルアンテナとして用いられている励磁コイル１５がＲＦＩＤリーダ／ライタ３０１のコイルアンテナとして共用できるようにインピーダンスのマッチングを行う。
【００３７】
送受信部（ＲＦＩＤ用）３０１１は、検知ゲート１０内のＲＦＩＤタグの識別情報を読み書きするための所定周波数の交番磁界を励磁コイル１５を介して発信し、ＲＦＩＤタグから発信されるＲＦＩＤタグに記録された社員６の識別情報の信号を励磁コイル１５を介して受信する。
【００３８】
なお、励磁コイル１５は、送受信部（ＲＦＩＤ用）３０１１内の図示せぬ送信回路と受信回路とに周期的に切替え接続され、励磁コイル１５を介してＲＦＩＤリーダ／ライタ３０１とＲＦＩＤタグ７とで信号の送受信が送受信部（ＲＦＩＤ用）３０１１により行われる。
【００３９】
制御部（ＲＦＩＤ用）３０１２は、送受信部（ＲＦＩＤ用）３０１１を制御し、ＲＦＩＤリーダ／ライタ３０１とＲＦＩＤタグ７との間で送受信される信号に基づきＲＦＩＤタグ７の識別情報を読み書きする制御を行うとともにＲＦＩＤリーダ／ライタ３０１全体を統括制御する。
【００４０】
磁性体検知装置３０２は、送受信部（磁性体用）３０２１と、制御部（磁性体用）３０２２とを備えている。
【００４１】
送受信部（磁性体用）３０２１は、励磁コイル１５を介して検知ゲート１０内の文書５０に付与された磁性ワイヤー８を磁化反転させるための所定周波数の交番磁界を発信し、交番磁界を受けて磁化反転した磁性ワイヤー８が発する急峻な磁気パルスを検知コイル１６を介して受信する。
【００４２】
制御部（磁性体用）３０２２は、送受信部（磁性体用）３０２１を制御し、検知コイル１６で受信された磁気パルスの検出信号に基づき検知ゲート１０内の磁性ワイヤー８の有無を検知するとともに磁性体検知装置３０２全体を統括制御する。
【００４３】
判断制御部３１は、通過許可判断装置３１１と、記憶部３１２を備えており、通過許可判断装置３１１は、ＲＦＩＤリーダ／ライタ３０１で読み取られて通知されるＲＦＩＤタグの識別情報と、磁性体検知装置３０２で検知されて通知される磁性ワイヤー８の有無の検知情報に基づき検知ゲート１０の扉１３の開閉の判断と、判断結果に応じた扉１３の開閉制御を行う。
【００４４】
記憶部３１２は、検知ゲート１０の扉１３の開閉の判断基準となる扉開閉判断情報や検知ゲート１０を制御するために必要な各種データや処理プログラムを記憶保持する。
【００４５】
また、検知ゲート１０を通過した社員６が携帯するＲＦＩＤタグ７の識別情報を記憶保持する。
【００４６】
扉開閉判断情報は、例えば文書管理室９からの文書５０の持ち出しの許可または不許可の情報と、ＲＦＩＤタグの識別情報とが対応付けされた一覧情報であり、通過許可判断装置３１１は、磁性体検知装置３０２で磁性ワイヤー８が検知された場合、ＲＦＩＤリーダ／ライタ３０１で読み取られたＲＦＩＤタグの識別情報が文書５０の持ち出しが許可された識別情報であるかを扉開閉判断情報を参照して判断する。
【００４７】
なお、低周波スイッチ３００による励磁コイル１５とＲＦＩＤリーダ／ライタ３０１との接続と、励磁コイル１５及び検知コイル１６と磁性体検知装置３０２との接続の切替えは、社員６が各検知ゲート通過中に社員６が携帯するＲＦＩＤタグと、文書５０に付与された磁性ワイヤー８との検知が複数回交互に切替え検知できるだけの十分な回数だけ切替え接続されるように構成されている。
【００４８】
図２は、ゲート装置１が適用された文書管理室９の全体構成の一例を示す構成図である。
【００４９】
図２に示すように、ある企業の文書管理室９の各出入口には、検知ゲート１０（破線で囲まれた部分）と、検知ゲート２０（破線で囲まれた部分）と、検知ゲート１０を制御するゲートコントローラ３２と、検知ゲート２０を制御するゲートコントローラ３３と、各ゲートコントローラから出力される各検知ゲート通過社員６の入退出情報を記憶保持し、入退出情報に基づく各種処理と、その結果を出力する管理装置４０とで構成されている。
【００５０】
なお、検知ゲート２０は、検知ゲート１０と同様に構成され、ゲートコントローラ３３は、ゲートコントローラ３２と同様に構成されている。
【００５１】
文書管理室９には、重要文書や技術文書等の文書５０の媒体が保管されており、これらの文書５０が文書管理室９からの持出しが許可された社員６以外の者によって持ち出されることを防止するために、文書管理室９で保管されている全ての文書５０には大バルクハウゼン効果を起こす磁性ワイヤー８が予め付与されている。
【００５２】
また、当該企業の社員６には、社員６を識別するための識別情報が記録されたＲＦＩＤタグ７を携帯させている。
【００５３】
文書管理室９に保管された文書５０は、当該企業の社員６であれば誰でも閲覧できるが、社員６が文書５０を文書管理室９から持ち出そうとした場合は、当該社員６が文書管理室９から退室の際に通過する検知ゲート１０または検知ゲート２０で文書５０に付与された磁性ワイヤー８と、当該社員６が携帯するＲＦＩＤタグ７の識別情報とが検知され、当該社員６が携帯するＲＦＩＤタグ７の識別情報が文書管理室９からの文書５０の持ち出しが許可された識別情報でなければ当該社員６が通過中の検知ゲートの扉１３を閉じて当該社員６の文書管理室９からの退出を禁止するように構成されている。
【００５４】
このように構成された文書管理室９の各検知ゲートを通過する社員６のＲＦＩＤタグ７の識別情報と、当該社員６が持出そうとしている文書５０の検知動作について図３及び図４を参照して説明する。
【００５５】
図３は、社員６が携帯するＲＦＩＤタグ７の構成の一例と、ＲＦＩＤタグ７に記録された社員６の識別情報を検知ゲート１０及びゲートコントローラ３２により読み取る動作を示す説明図である。
【００５６】
図３に示すように、ＲＦＩＤタグ７には、変調回路７３、信号処理ユニット７４等を含むＩＣチップ７２と、コイルアンテナ７１とが内蔵されている。
【００５７】
ゲートコントローラ３２の検知部３０の低周波スイッチ３００の切替え制御により励磁コイル１５とＲＦＩＤリーダ／ライタ３０１とが接続されると、ＲＦＩＤリーダ／ライタ３０１の制御に基づき所定周波数の交番磁界が励磁コイル１５から発信され、励磁コイル１５の近傍（例えば検知ゲート１０内）に存在するＲＦＩＤタグ７が励磁コイル１５から発信される交番磁界をコイルアンテナ７１を介して受信する。
【００５８】
ＲＦＩＤタグ７のコイルアンテナ７１で交番磁界が受信されると、共振作用によりコイルアンテナ７１に誘導起電力が生じ、この誘導起電力により変調回路７３や信号処理ユニット７４等を含むＩＣチップ７２が起動し、ＩＣチップ７２に予め記録された社員６の識別情報の信号がコイルアンテナ７１から送信される。
【００５９】
ＲＦＩＤタグ７から送信された識別情報の信号は、励磁コイル１５で受信され、励磁コイル１５と接続されたＲＦＩＤリーダ／ライタ３０１が励磁コイル１５で受信され信号を信号処理してＲＦＩＤタグ７の識別情報を読み取り、判断制御部３１の通過許可判断装置３１１へ出力する。
【００６０】
具体的には、ＲＦＩＤタグ７から送信された識別情報の信号は、励磁コイル１５と接続されたＲＦＩＤリーダ／ライタ３０１のインピーダンス整合部３０１０（図１参照）を介して送受信部（ＲＦＩＤ用）３０１１（図１参照）で受信され、制御部（ＲＦＩＤ用）３０１２（図１参照）が送受信部（ＲＦＩＤ用）３０１１で受信された信号を信号処理してＲＦＩＤタグ７の識別情報を読み取り、判断制御部３１の通過許可判断装置３１１へ出力する。
【００６１】
次に、文書５０に付与された磁性ワイヤー８を検知ゲート１０及びゲートコントローラ３２により検知する動作について説明する。
【００６２】
図４は、磁性ワイヤー８が付与された文書５０の構成の一例と、文書５０に付与された磁性ワイヤー８を検知ゲート１０及びゲートコントローラ３２により検知する動作を示す説明図である。
【００６３】
図４に示すように、文書５０には大バルクハウゼン効果を起こす磁性ワイヤー８が付与されており、ゲートコントローラ３２の検知部３０の低周波スイッチ３００の切替え制御により励磁コイル１５及び検知コイル１６と磁性体検知装置３０２とが接続されると、磁性体検知装置３０２の制御に基づき所定周波数の交番磁界が励磁コイル１５から発信され、励磁コイル１５の近傍（例えば検知ゲート１０内）に存在する文書５０の磁性ワイヤー８が励磁コイル１５から発信された交番磁界を受けて磁化反転し、その際に急峻な磁気パルスを発する。
【００６４】
磁性ワイヤー８から発せられた磁気パルスは、検知コイル１６で受信され、検知コイル１６と接続された磁性体検知装置３０２が検知コイル１６で受信され信号を信号処理して磁性ワイヤー８の存在有無を検知し、その検知結果を判断制御部３１の通過許可判断装置３１１へ出力する。
【００６５】
具体的には、文書５０に付与された磁性ワイヤー８が磁化反転して発した磁気パルスは、検知コイル１６と接続された磁性体検知装置３０２の送受信部（磁性体用）３０２１（図１参照）で受信され、制御部（磁性体用）３０２２（図１参照）が送受信部（磁性体用）３０２１で受信された信号を信号処理して磁性ワイヤー８の存在有無を検知し、その検知結果を判断制御部３１の通過許可判断装置３１１へ出力する。
【００６６】
次に、判断制御部３１の通過許可判断装置３１１が検知部３０のＲＦＩＤリーダ／ライタ３０１で読み取られて通知されるＲＦＩＤタグの識別情報と、磁性体検知装置３０２で検知されて通知される磁性ワイヤー８の有無の検知情報に基づき検知ゲート１０の扉１３の開閉の判断と、判断結果に応じた扉１３の開閉制御の制御動作について説明する。
【００６７】
通過許可判断装置３１１は、磁性体検知装置３０２から通知される磁性ワイヤー８の存在有無を検知結果に基づき磁性ワイヤー８の存在が検知された旨の通知を受信した場合は、ＲＦＩＤリーダ／ライタ３０１から通知されたＲＦＩＤタグの識別情報が文書管理室９からの文書５０の持ち出しが許可された識別情報であるか否かを判断し、文書５０の持ち出しが許可されていない識別情報であると判断した場合には、扉開閉装置１２ａ及び扉開閉装置１２ｂに対して検知ゲート１０の扉１３を閉とする制御を行わせ、社員６の検知ゲート通過を禁止する。
【００６８】
また、文書５０の持ち出しが許可された識別情報であると判断した場合には、扉開閉装置１２ａ及び扉開閉装置１２ｂに対して検知ゲート１０の扉１３を開とする制御を行わせ、社員６の検知ゲート通過を許可する。
【００６９】
なお、検知ゲート２０及び検知ゲート２０を制御するゲートコントローラ３３による社員６が携帯するＲＦＩＤタグ７の識別情報の読み取り動作と、文書５０に付与された磁性ワイヤー８の検知動作も前述した検知ゲート１０及びゲートコントローラ３２の動作と同様であるので説明は省略する。
【００７０】
このように文書管理室９の各出入口に設置された各検知ゲート及び各ゲートコントローラは、励磁コイル１５をＲＦＩＤリーダ／ライタ３０１と磁性体検知装置３０２とに時分割で交互に切替え接続し、励磁コイル１５からＲＦＩＤリーダ／ライタ３０１や磁性体検知装置３０２の制御に基づく所定周波数の交番磁界を発信して各検知ゲート内に存在するＲＦＩＤタグ７の識別情報と、磁性ワイヤー８が付与された文書５０とを１つの検知ゲート及び当該検知ゲートを制御するゲートコントローラで行うように構成されている。
【００７１】
なお、図３及び図４に示すＲＦＩＤタグ７の大きさと、文書５０及び磁性ワイヤー８の大きさと、検知ゲート１０及びゲートコントローラ３２の大きさとの対応関係は、図中の大きさに対応するものではない。
【００７２】
ゲート装置１が適用された文書管理室９から許可された社員６以外の者により文書５０が持ち出されることを防止する動作について図５の流れ図を参照して説明する。
【００７３】
社員６が文書管理室９へ入退室する場合は、文書管理室９の各出入口に設置された検知ゲート１０または検知ゲート２０を通過する必要があり（図２参照）、社員６が検知ゲート１０または検知ゲート２０内に進入すると、図５に示すように、各検知ゲートに設置された図示せぬ赤外線センサーが人の通過を検知する（ステップＳ５０１でＹＥＳ）。
【００７４】
赤外線センサーでの検知は、例えば、当該赤外線センサーが配置された検知ゲートとそのゲートコントローラの電源をオンにするためのものであり、検知ゲートとそのゲートコントローラは、通常では電源がオフ状態に設定されて消費電力を節約するように構成されている。
【００７５】
検知ゲートと、そのゲートコントローラの電源がオンにされると、前述したように、例えば検知ゲート１０の励磁コイル１５は、ゲートコントローラ３２のＲＦＩＤリーダ／ライタ３０１と磁性体検知装置３０２とに一定時間毎に交互に接続され、励磁コイル１５からはＲＦＩＤリーダ／ライタ３０１の制御に基づくＲＦＩＤタグの識別情報を読み書きするための交番磁界と、磁性体検知装置３０２の制御に基づく文書５０に付与された磁性ワイヤー８を検知するための交番磁界が一定時間毎に交互に送信される。
【００７６】
また、社員６は、社員６の識別情報が記録されたＲＦＩＤタグを携帯しており、社員６が文書管理室９へ入室または文書管理室９から退室するために、例えば検知ゲート１０内に進入すると、社員６は、検知ゲート１０を制御するゲートコントローラ３２のＲＦＩＤリーダ／ライタ３０１の制御に基づく所定周波数（例えば１３．５Ｍｈｚ）の交番磁界と、磁性体検知装置３０２の制御に基づく所定周波数（例えば８００ｈｚ）の交番磁界とを一定時間毎に交互に受けることとなる。
【００７７】
したがって、ＲＦＩＤリーダ／ライタ３０１の制御に基づく所定周波数（例えば１３．５Ｍｈｚ）の交番磁界が励磁コイル１５から発信されている場合は、この交番磁界を社員６が携帯するＲＦＩＤタグが受信し、ＲＦＩＤタグに記録された識別情報がＲＦＩＤタグから送信される。
【００７８】
ＲＦＩＤリーダ／ライタ３０１は、ＲＦＩＤタグから送信された識別情報の信号を励磁コイル１５を介して受信し、所定の信号処理を施すことでＲＦＩＤタグに記録された識別情報を読み取り、読み取った識別情報を通過許可判断装置３１１へ通知する（ステップＳ５０２）。
【００７９】
ステップＳ５０２において、ＲＦＩＤリーダ／ライタ３０１によるＲＦＩＤタグの識別情報の読み取り後（ステップＳ５０３でＹＥＳ）、一定時間が経過すると、低周波スイッチ３００の切替え制御により励磁コイル１５と検知コイル１６が磁性体検知装置３０２と接続され、磁性体検知装置３０２の制御に基づく所定周波数（例えば８００ｈｚ）の交番磁界が励磁コイル１５から発信されるが、検知ゲート１０通過中の社員６が文書５０を持っていない場合であれば文書５０に付与された磁性ワイヤー８も検知されないので（ステップＳ５０８、ステップＳ５０９でＮＯ）、当該社員６が通過中の検知ゲートの扉１３を開状態のままに制御して当該社員６の検知ゲート通過を許可し、ＲＦＩＤリーダ／ライタ３０１で読み取られたＲＦＩＤタグの識別情報が通過許可判断装置３１１から管理装置４０へ通知され、動作制御を終了する。
【００８０】
また、ステップＳ５０２において、社員６がＲＦＩＤタグを不携帯もしくは社員６が携帯するＲＦＩＤタグの識別情報が何らかの原因で正常に読み取れなかった場合（ステップＳ５０３でＮＯ）、その旨を通過許可判断装置３１１へ通知して当該社員６が通過中の検知ゲート１０の扉１３を閉とし、当該社員６の検知ゲート通過を禁止する（ステップＳ５０４）。
【００８１】
また、当該社員６に対してＲＦＩＤタグを検知ゲート１０の励磁コイル１５近傍にかざしてＲＦＩＤタグの再読取りを行わせる指示を行い、ＲＦＩＤタグの識別情報の再読み取りを行う（ステップＳ５０５）。
【００８２】
なお、当該社員６に対するＲＦＩＤタグの再読取り指示は、検知ゲート１０に設置された図示せぬ警報発生装置によるブザー音を出力して当該社員６にＲＦＩＤタグの読み取りエラーを通知するか、または音声によりＲＦＩＤタグを検知ゲート１０のアンテナ支持体１１ａまたはアンテナ支持体１１ｂの近傍にかざすように指示する。
【００８３】
ステップＳ５０５において、ＲＦＩＤタグの識別情報を再読み取り後（ステップＳ５０６でＹＥＳ）、ＲＦＩＤタグの識別情報が正常に読み取られた旨を通過許可判断装置３１１へ通知して閉とした検知ゲートの扉１３を開とし（ステップＳ５０７）、検知ゲート１０通過中の社員６が文書５０を持っていない場合であれば文書５０に付与された磁性ワイヤー８も検知されないので（ステップＳ５０８、ステップＳ５０９でＮＯ）、当該社員６が通過中の検知ゲート１０の扉１３を開状態のままに制御して当該社員６の検知ゲート１０通過を許可し、ＲＦＩＤリーダ／ライタ３０１で読み取られたＲＦＩＤタグの識別情報が通過許可判断装置３１１から管理装置４０へ通知され、動作制御を終了する。
【００８４】
また、ステップＳ５０２において、ＲＦＩＤタグの識別情報を読み取り後（ステップＳ５０３でＹＥＳ）、一定時間が経過すると励磁コイル１５及び検知コイル１６と磁性体検知装置３０２とが接続され、磁性体検知装置３０２の制御に基づく所定周波数（例えば８００ｈｚ）の交番磁界が励磁コイル１５から発信されるので検知ゲート通過中の社員６が文書５０を持っている場合であれば文書５０に付与された磁性ワイヤー８が励磁コイル１５から発信される交番磁界を受けて磁化反転し、その際に磁性ワイヤー８から発せられる磁気パルスが検知コイル１６を介して磁性体検知装置３０２で検出される（ステップＳ５０８、ステップＳ５０９でＹＥＳ）。
【００８５】
ステップＳ５０２またはステップＳ５０５においてＲＦＩＤリーダ／ライタ３０１で読み取られたＲＦＩＤタグの識別情報と、ステップＳ５０８において磁性体検知装置３０２で検知された磁性ワイヤー８の有無の検知情報は、通過許可判断装置３１１へ通知される。
【００８６】
通過許可判断装置３１１は、磁性体検知装置３０２から磁性ワイヤー８が検知された旨の通知を受けた場合は（ステップＳ５０９でＹＥＳ）、ＲＦＩＤリーダ／ライタ３０１から通知されたＲＦＩＤタグの識別情報に基づき当該社員６が文書５０の持ち出しを許可された社員６であるか否かを判断する（ステップＳ５１０）。
【００８７】
なお、例えば検知ゲート１０を制御するゲートコントローラ３２の記憶部３１２には、前述したように文書管理室９からの文書５０の持ち出しの許可または不許可の情報とＲＦＩＤタグの識別情報とが対応付けされた一覧情報（扉開閉判断情報）が記憶保持されており、通過許可判断装置３１１は、ＲＦＩＤリーダ／ライタ３０１で読み取られたＲＦＩＤタグの識別情報が文書５０の持ち出しを許可する識別情報であるかを扉開閉判断情報を参照して判断する。
【００８８】
ステップＳ５１０において、通過許可判断装置３１１がＲＦＩＤリーダ／ライタ３０１で読み取られたＲＦＩＤタグの識別情報が文書５０の持ち出しを不許可とする識別情報であると判断した場合は（ステップＳ５１１でＮＯ）、文書持ち出し禁止処理を行い、文書５０が不正に持ち出されることを防止する（ステップＳ５１２）。
【００８９】
文書持ち出し禁止処理は、具体的には、当該社員６が通過中の検知ゲートの扉１３を閉じて当該社員６の検知ゲート通過を禁止するとともに図示せぬ警報発生装置によるブザー音または音声により文書５０の持ち出し不可を当該社員６へ通知する。
【００９０】
また、ステップＳ５１１において、通過許可判断装置３１１がＲＦＩＤリーダ／ライタ３０１で読み取ったＲＦＩＤタグの識別情報が文書５０の持ち出しを許可とする識別情報であると判断した場合は（ステップＳ５１１でＹＥＳ）、当該社員６が通過中の検知ゲートの扉１３を開状態のままに制御して当該社員６の検知ゲート通過を許可し、ＲＦＩＤリーダ／ライタ３０１で読み取られたＲＦＩＤタグの識別情報と文書５０が持出された旨の情報とが通過許可判断装置３１１から管理装置４０へ通知され、動作制御を終了する。
【００９１】
このようにゲート装置１は、磁性体（磁性ワイヤー８）を磁化反転させる交番磁界を発信するコイルアンテナ（励磁コイル１５）と、ＲＦＩＤタグ起動する起動信号を含む交番磁界（例えば１３．５Ｍｈｚの交番磁界）を発信するコイルアンテナ（励磁コイル１５）とを１つのコイルアンテナ（励磁コイル１５）で共用し、ＲＦＩＤタグに記録された識別情報と磁性体の有無の検知とを１つの検知ゲート及び当該検知ゲートを制御するゲートコントローラで行うのでＲＦＩＤタグの識別情報を検知する検知ゲート及び当該検知ゲートを制御するゲートコントローラと、磁性体を検知する検知ゲート及び当該検知ゲートを制御するゲートコントローラを個別に製作して設置する場合と比べて低コスト化と、省スペース化が図れる。
【００９２】
これまでの説明では、励磁コイル１５とＲＦＩＤリーダ／ライタ３０１との接続と、励磁コイル１５及び検知コイル１６と磁性体検知装置３０２との接続とを一定時間毎に交互に切替え接続し、ＲＦＩＤリーダ／ライタ３０１と磁性体検知装置３０２とのそれぞれの制御に基づき周波数の異なる交番磁界を励磁コイル１５から発信し、各検知ゲート内に存在するＲＦＩＤタグ７の識別情報の検知と、磁性ワイヤー８の検知とを１つの検知ゲート及び検知ゲートを制御するゲートコントローラで行う例を示したが、ＲＦＩＤタグ７の識別情報を検知する場合にも磁性ワイヤー８検知のために励磁コイル１５から発信する交番磁界の周波数を搬送波として利用し、ＲＦＩＤタグ７との情報を送受信するメッセージ信号の部分を周波数偏移変調してＲＦＩＤリーダ／ライタ３０１がＲＦＩＤタグ７の識別情報を読み取れるような構成としてもよい。
【００９３】
この場合は、励磁コイル１５とＲＦＩＤリーダ／ライタ３０１との接続と、励磁コイル１５及び検知コイル１６と磁性体検知装置３０２との接続とをＲＦＩＤタグ７を起動する所定の情報に対応して切替え接続し、励磁コイル１５からＲＦＩＤタグ７を起動する所定の情報に対応して切替え接続されたタイミングで磁性体検知装置３０２の制御に基づく前述の所定周波数（例えば４００ｈｚ〜２Ｋｈｚ範囲内の何れかの周波数）の交番磁界、ＲＦＩＤリーダ／ライタ３０１の制御に基づく前述の所定周波数（例えば１３．５Ｍｈｚの周波数）の交番磁界を発信させる。
【００９４】
各検知ゲート内に存在する磁性ワイヤー８の検知は、励磁コイル１５及び検知コイル１６と磁性体検知装置３０２とが接続されている時に行われる。
【００９５】
また、各検知ゲート内に存在するＲＦＩＤタグ７の識別情報の検知は、励磁コイル１５から発信された磁性体検知装置３０２の制御に基づく前述の所定周波数（例えば４００ｈｚ〜２Ｋｈｚ範囲内の何れかの周波数）の交番磁界によりＲＦＩＤタグ７に誘導起電力を得させ、励磁コイル１５とＲＦＩＤリーダ／ライタ３０１とが切替え接続されている時に、誘導起電力を得たＲＦＩＤタグ７が発信するＲＦＩＤタグ７に記録された情報信号を励磁コイル１５を介してＲＦＩＤリーダ／ライタ３０１で受信し、信号処理してＲＦＩＤタグ７の識別情報を読み取るような構成とする。
【００９６】
なお、磁性体検知装置３０２の制御に基づき８７０ｈｚの搬送波をＲＦＩＤタグ７に送信した場合、この磁界の強さは約１０〜２０ガウス程度であり、ＲＦＩＤタグ７がＲＦＩＤリーダ／ライタ３０１と情報の信号を送受信するための十分な起電力が得られることが実験的に確認できた。
【００９７】
また、前述の周波数偏移変調による磁性ワイヤー８の検知とＲＦＩＤタグ７の識別情報の検知との他に位相変調により磁性ワイヤー８の検知とＲＦＩＤタグ７の識別情報の検知とを行うような構成としてもよい。
【００９８】
この場合は、１つの送受信部により磁性ワイヤー８を検知する場合とＲＦＩＤタグ７の識別情報を読み取る場合とで同一の所定周波数（例えば４００ｈｚ〜２Ｋｈｚ範囲内の何れかの周波数）の交番磁界を励磁コイル１５を介して発信し、ＲＦＩＤタグ７の識別情報を読み取る場合には、ＲＦＩＤタグ７の識別情報の信号を位相変化として受信する構成とする。
【００９９】
このように構成した場合は、ＲＦＩＤリーダ／ライタ３０１及びＲＦＩＤタグ７の利用帯域を磁性ワイヤー８検知用の所定周波数（例えば４００ｈｚ〜２Ｋｈｚ範囲内の何れかの周波数）帯域とし、ＲＦＩＤタグ７も位相変調可能な構成とする。
【０１００】
このような構成とすることで励磁コイル１５からは所定周波数（例えば４００ｈｚ〜２Ｋｈｚ範囲内の何れかの周波数）の交番磁界を切替え発信することなく連続して発信でき、ＲＦＩＤタグ７の識別情報の送受信が低周波で行えるので情報の送受信に必要な起電力を小さく抑えることができる。
【０１０１】
なお、磁性体検知装置３０２で磁性ワイヤー８を検知する場合の励磁コイル１５及び検知コイル１６の位相は、同期をとるようにしてもしなくてもよい。
【０１０２】
また、検知ゲートのアンテナ支持体１１ａとアンテナ支持体１１ｂとの両側に励磁コイル１５が埋め込まれ、前述のＲＦＩＤリーダ／ライタ３０１と磁性体検知装置３０２とを一定時間毎に交互に励磁コイル１５に切替え接続し、各装置の制御に基づき周波数の異なる交番磁界を励磁コイル１５から発信して磁性ワイヤー８とＲＦＩＤタグ７の識別情報とを検知する場合や、周波数変調による磁性ワイヤー８とＲＦＩＤタグ７の識別情報とを検知する場合及び位相変調による磁性ワイヤー８とＲＦＩＤタグ７の識別情報とを検知する場合には両側の励磁コイル１５の位相の同期を図り、磁界の向きが一方から他方に向かうような構成とする。
【０１０３】
また、検知ゲートのアンテナ支持体１１ａとアンテナ支持体１１ｂとの両側に励磁コイル１５が埋め込まれている場合は、一定時間毎にアンテナ支持体１１ａとアンテナ支持体１１ｂとに埋め込まれた各励磁コイル１５から交互に交番磁気を発信させるような構成としてもよい。
【０１０４】
また、磁性体検知装置３０２からは前述の磁性ワイヤー８を励磁させる所定周波数（例えば４００ｈｚ〜２Ｋｈｚ範囲内の何れかの周波数）の交番磁界の送信は行わず、専ら磁性ワイヤー８が磁化反転して発する磁気パルスの受信及び検知のみを行い、ＲＦＩＤリーダ／ライタ３０１から磁性ワイヤー８を励磁させる所定周波数（例えば４００ｈｚ〜２Ｋｈｚ範囲内の何れかの周波数）の交番磁界を発生させる構成としてもよい。
【０１０５】
この場合は、図６に示すゲート装置２のように、励磁コイル１５とＲＦＩＤリーダ／ライタ３４１とを常時接続し、また、検知コイル１６と磁性体検知装置３４２とを常時接続させ、前述の磁性ワイヤー８を励磁させる所定周波数（例えば４００ｈｚ〜２Ｋｈｚ範囲内の何れかの周波数）の交番磁界をＲＦＩＤリーダ／ライタ３４１から発信させる。
【０１０６】
即ち、磁性体検知装置３４２では交番磁界の送信は行わずに磁性ワイヤー８が磁化反転時に発する磁気パルスの受信及び検知のみを行い、ＲＦＩＤリーダ・ライタ３４１でＲＦＩＤリーダ・ライタ３４１の搬送波として磁性ワイヤー８を励磁させる周波数を用い、ＲＦＩＤタグ７の識別情報の信号は、搬送波を振幅変調させて送信するように構成する。
【０１０７】
従って、ＲＦＩＤタグ７は、ＲＦＩＤタグ７自身でバンドパスフィルターの役目を行うため、ＲＦＩＤリーダ・ライタ３４１からのＲＦＩＤタグ７に対する識別情報の送信要求の信号が受信でき、また、磁性ワイヤー８も同時に励磁され、且つＲＦＩＤタグ７から送信される識別情報がＲＦＩＤリーダ・ライタ３４１で読み取られ、磁性ワイヤー８が発する磁気パルスが磁性体検知装置３４２で検知される。
【０１０８】
このように構成することで、磁性ワイヤー８を検知するためのコイルアンテナと、ＲＦＩＤタグ７の識別情報を検知するコイルアンテナとを１つの励磁コイル１５で共用し、磁性ワイヤー８の検知と、ＲＦＩＤタグ７の識別情報の検知とが最も簡単な構成で実現できる。
【０１０９】
なお、図６に示すゲート装置２は、ゲート装置１（図１参照）のＲＦＩＤリーダ／ライタ３０１が磁性ワイヤー８を励磁させる所定周波数（例えば４００ｈｚ〜２Ｋｈｚ範囲内の何れかの周波数）の交番磁界を発生させるように構成されたＲＦＩＤリーダ／ライタ３４１と置換えられ、また、ゲート装置１の磁性体検知装置３０２が磁性ワイヤー８の磁化反転により発生する磁気パルスの受信及び検知のみを行うように構成された磁性体検知装置３４２と置換えられ、励磁コイル１５とＲＦＩＤリーダ／ライタ３４１とを常時接続し、検知コイル１６と磁性体検知装置３４２とを常時接続させた他は、ゲート装置１と同様に構成されている。
【産業上の利用可能性】
【０１１０】
本発明は、磁性体の検知と、ＲＦＩＤタグの情報の読み書きを行う装置及びその検知結果と情報の読み書きを応用する技術に適用可能である。  
【図面の簡単な説明】
【０１１１】
【図１】本発明に係わるゲート装置１の構成の一例を示すブロック図
【図２】ゲート装置１が適用された文書管理室９の全体構成の一例を示す構成図
【図３】ＲＦＩＤタグ７の構成の一例と、ＲＦＩＤタグ７の識別情報を読み取る動作を示す説明図
【図４】磁性ワイヤー８が付与された文書５０の構成の一例と、磁性ワイヤー８を検知する動作を示す説明図
【図５】文書管理室９から許可された社員６以外の者により文書５０が持ち出されることを防止するゲート装置１の動作を示す流れ図
【図６】ゲート装置１とは他のゲート装置２の構成の一例を示すブロック図
【符号の説明】
【０１１２】
１、２  ゲート装置
６      社員
７      ＲＦＩＤタグ
８      磁性ワイヤー
９      文書管理室
１０、２０  検知ゲート
１１ａ、１１ｂ  アンテナ支持体
１２ａ、１２ｂ  扉開閉装置
１３    扉
３０、３４  検知部
３１    判断制御部
３２、３３、３５  ゲートコントローラ
４０    管理装置
５０    文書
７１    コイルアンテナ
７２    ＩＣチップ
７３    変調回路
７４    信号処理ユニット      
３００  低周波スイッチ
３０１、３４１  ＲＦＩＤリーダ／ライタ
３０２、３４２  磁性体検知装置
３１１  通過許可判断装置
３１２  記憶部
３０１０  インピーダンス整合部
３０１１、３４１１  送受信部（ＲＦＩＤ用）
３０１２、３４１２  制御部（ＲＦＩＤ用）
３０２１  送受信部（磁性体用）
３４２１  受信部（磁性体用）
３０２２、３４２２  制御部（磁性体用）
【図１】
2008097340.tif 000003
【図２】
2008097340.tif 000004
【図３】
2008097340.tif 000005
【図４】
2008097340.tif 000006
【図５】
2008097340.tif 000007
【図６】
2008097340.tif 000008